(57)【特許請求の範囲】
【請求項１】
文字から少なくとも一つの記号イメージを出力する記号イメージ編集装置であって、
前記文字の幾何学的構成に関する情報を参照することにより所定の区画された空間内に少なくとも一つの記号イメージが挿入される一つ以上の位置を決定して、前記決定された少なくとも一つの位置に記号イメージを挿入することにより、前記文字に対応される前記記号イメージを取得する生成部と、
前記記号イメージを出力する出力部とを含み、
前記文字の幾何学的構成に関する情報は前記文字を含む前記所定の区画された空間内の余白に関する情報を含み、前記決定された少なくとも一つの位置自体が前記文字の前記幾何学的構成に関する情報を示すことを特徴とする記号イメージ編集装置。
【請求項２】
記号イメージから文字を出力する記号イメージ編集装置であって、
前記文字の幾何学的構成に関する情報を参照することにより所定の区画された空間内に少なくとも一つの記号イメージが挿入される一つの位置を決定して、前記決定された少なくとも一つの位置に記号イメージを挿入することにより、前記文字に対応される記号イメージを取得して、これを管理する状態で、前記記号イメージが入力されると、前記記号イメージをこれに対応する前記文字に変換する生成部と、
前記変換された文字をディスプレイする出力部とを含み、
前記文字の幾何学的構成に関する情報は前記文字を含む前記所定の区画された空間内の余白に関する情報を含み、前記決定された少なくとも一つの位置自体が前記文字の前記幾何学的構成に関する情報を示すことを特徴とする記号イメージ編集装置。
【請求項３】
前記文字は、ハングル文字、英文字、数字のうちの少なくとも１つを含むことを特徴とする請求項１又は２に記載の記号イメージ編集装置。
【請求項４】
前記記号イメージの大きさ、位置、色相、及び形態のうちの少なくとも１つを調整する編集部を更に含むことを特徴とする請求項１又は２に記載の記号イメージ編集装置。
【請求項５】
前記記号イメージは、該当文字イメージ上の余白の形状によってその形状が決定されることを特徴とする請求項１又は２に記載の記号イメージ編集装置。
【請求項６】
前記記号イメージは、三角形、四角形、円の各図形の形状を有することを特徴とする請求項５に記載の記号イメージ編集装置。
【請求項７】
前記記号イメージは、少なくとも１つのハングル文字を表現する所定の区画された第１空間と、前記第１空間を点、線、面又は他の表示により第２空間に分割し、分割された第２空間で初声、中声、終声の何れか１つの機能を行ってハングルを象徴的に表現できる空間区画と、前記空間区画に区分された前記第２空間に配置される三角形、四角形、円、直線のうちの少なくとも１つの象徴物で表現されることを特徴とする請求項１又は２に記載の記号イメージ編集装置。
【請求項８】
前記第２空間のそれぞれは、横方向又は縦方向又はその組み合わせで構成されることを特徴とする請求項７に記載の記号イメージ編集装置。
【請求項９】
前記第１空間のそれぞれは、横方向又は縦方向に離間して配置されることを特徴とする請求項７に記載の記号イメージ編集装置。
【請求項１０】
前記記号イメージは、少なくとも２つの記号イメージがオーバーラップし、オーバーラップしているそれぞれの記号イメージを区分するために、大きさ、位置、色相、形態、明暗、明度、パターン、及び質感のうちの少なくとも１つを異にして表現し、各記号イメージの判読順序を表す識別子を備えることを特徴とする請求項１又は２に記載の記号イメージ編集装置。
【請求項１１】
文字から少なくとも一つの記号イメージを出力する記号イメージ編集方法であって、
ａ）前記文字の幾何学的構成に関する情報を参照することにより所定の区画された空間内に少なくとも一つの記号イメージが挿入される一つ以上の位置を決定して、前記決定された少なくとも一つの位置に記号イメージを挿入することにより、前記文字に対応される記号イメージを取得する段階と、
ｂ）前記記号イメージを出力する段階とを含み、
前記文字の幾何学的構成に関する情報は前記文字を含む前記所定の区画された空間内の余白に関する情報を含み、前記決定された少なくとも一つの位置自体が前記文字の前記幾何学的構成に関する情報を示すことを特徴とする記号イメージ編集方法。
【請求項１２】
記号イメージから文字を出力する記号イメージ編集方法であって、
ａ）前記文字の幾何学的構成に関する情報を参照することにより所定の区画された空間内に少なくとも一つの記号イメージが挿入される少なくとも一つの位置を決定して、前記決定された少なくとも一つの位置に記号イメージを挿入することにより、前記文字に対応される記号イメージを取得して、これを管理する状態で、前記記号イメージが入力されると、前記記号イメージをこれに対応する前記文字に変換する段階と、
ｂ）前記変換された文字を出力する段階とを含み、
前記文字の幾何学的構成に関する情報は前記文字を含む前記所定の区画された空間内の余白に関する情報を含み、前記決定された少なくとも一つの位置自体が前記文字の前記幾何学的構成に関する情報を示すことを特徴とする記号イメージ編集方法。
【請求項１３】
前記文字は、ハングル文字、英文字、数字のうちの少なくとも１つを含むことを特徴とする請求項１１又は１２に記載の記号イメージ編集方法。
【請求項１４】
前記記号イメージの大きさ、位置、色相、及び形態のうちの少なくとも１つを調整する段階を更に含むことを特徴とする請求項１１又は１２に記載の記号イメージ編集方法。
【請求項１５】
前記記号イメージは、該当文字又は数字イメージ上の余白の形状によってその形状が決定されることを特徴とする請求項１１又は１２に記載の記号イメージ編集方法。
【請求項１６】
前記記号イメージは、三角形、四角形、円の各図形の形状を有することを特徴とする請求項１５に記載の記号イメージ編集方法。
【請求項１７】
前記記号イメージは、少なくとも１つのハングル文字を表現する所定の区画された第１空間と、前記第１空間を点、線、面又は他の表示により第２空間に分割し、分割された第２空間で初声、中声、終声の何れか１つの機能を行ってハングルを象徴的に表現できる空間区画と、前記空間区画に区分された前記第２空間に配置される三角形、四角形、円、直線のうちの少なくとも１つの象徴物で表現されることを特徴とする請求項１１又は１２に記載の記号イメージ編集方法。
【請求項１８】
前記第２空間のそれぞれは、横方向又は縦方向又はその組み合わせで構成されることを特徴とする請求項１７に記載の記号イメージ編集方法。
【請求項１９】
前記第１空間のそれぞれは、横方向又は縦方向に離間して配置されることを特徴とする請求項１７に記載の記号イメージ編集方法。
【請求項２０】
前記記号イメージは、少なくとも２つの記号イメージがオーバーラップし、オーバーラップしているそれぞれの記号イメージを区分するために、大きさ、位置、色相、形態、明暗、明度、パターン、及び質感のうちの少なくとも１つを異にして表現し、各記号イメージの判読順序を表す識別子を備えることを特徴とする請求項１１又は１２に記載の記号イメージ編集方法。
【請求項２１】
記号イメージ編集装置における記号イメージ編集方法であって、
（ａ）前記装置が、文字情報の入力を受ける段階と、
（ｂ）前記装置が、前記入力された文字情報を同一の意味を有する異種言語の文字情報に変換する段階と、
（ｃ）前記装置が、前記変換された異種言語の文字情報に該当する文字イメージ上の余白位置に対応する位置に記号イメージを生成する段階と、
を含む記号イメージ編集方法。
【請求項２２】
前記（ｃ）段階の後、
前記生成された記号イメージの大きさ、位置、色相、及び形態のうちの少なくとも１つを調整する段階を更に含むことを特徴とする請求項２１に記載の記号イメージ編集方法。
【請求項２３】
前記記号イメージの形状は、前記文字イメージ上の余白の形状によって決定されることを特徴とする請求項２１に記載の記号イメージ編集方法。
【請求項２４】
前記記号イメージの形状は、三角形、四角形、及び円形の何れか１つであることを特徴とする請求項２１に記載の記号イメージ編集方法。
【請求項２５】
前記（ｃ）段階の後、
（ｄ）前記装置が、外部から追加で入力を受けた文字情報を同一の意味を有する異種言語の文字情報に変換し、変換された異種言語の文字情報に該当する文字イメージ上の余白位置に対応する位置に記号イメージを追加で生成する段階を更に含むことを特徴とする請求項２１に記載の記号イメージ編集方法。
【請求項２６】
前記（ｄ）段階の後、
（ｅ）前記装置が、前記追加で生成された記号イメージを前記（ｃ）段階で生成された記号イメージ上にオーバーラップする段階を更に含むことを特徴とする請求項２５に記載の記号イメージ編集方法。
【請求項２７】
前記（ｅ）段階において、
前記（ｃ）段階で生成された記号イメージと、
前記（ｄ）段階において追加で生成された記号イメージは、位置、色相、明暗、明度、パターン、質感、大きさ、及び形態のうちの少なくとも１つによって区分されることを特徴とする請求項２６に記載の記号イメージ編集方法。
【請求項２８】
前記（ｃ）段階は、
前記変換された異種言語の文字がハングルである場合、変換されたハングル情報に該当するハングルの初声、中声、終声別に各イメージ上の余白位置に対応する位置に記号イメージを生成することを特徴とする請求項２１に記載の記号イメージ編集方法。
【請求項２９】
記号イメージ編集装置における記号イメージ編集方法であって、
（ａ）前記装置が、文字情報の入力を受ける段階と、
（ｂ）前記装置が、前記入力された文字情報を同一の意味を有する異種言語の文字情報に変換する段階と、
（ｃ）前記装置が、前記変換された異種言語の文字情報に該当する記号イメージを生成する段階とを含み、
前記記号イメージは、前記変換された異種言語の文字情報に該当する文字イメージ上の余白位置に対応する位置に象徴物が形成されたイメージである記号イメージ編集方法。
【請求項３０】
請求項１１、請求項１２、請求項２１〜請求項２９の何れか１項における各段階を実行するプログラムが記録された記録媒体。
【請求項３１】
記号イメージ編集装置であって、
文字情報の入力を受ける入力部と、
前記入力部に入力された文字情報を同一の意味を有する異種言語の文字情報に変換する変換部と、
前記変換部により変換された異種言語の文字情報に該当する文字イメージ上の余白位置に対応する位置に記号イメージを生成する生成部と、
を含む記号イメージ編集装置。
【請求項３２】
前記生成部により生成された前記記号イメージの大きさ、位置、及び形態のうちの少なくとも１つを調整する編集部を更に含むことを特徴とする請求項３１に記載の記号イメージ編集装置。
【請求項３３】
前記記号イメージの形状は、前記文字イメージ上の余白の形状によって決定されることを特徴とする請求項３１に記載の記号イメージ編集装置。
【請求項３４】
前記記号イメージの形状は、三角形、四角形、及び円形の何れか１つであることを特徴とする請求項３１に記載の記号イメージ編集装置。
【請求項３５】
前記変換部は、外部から追加で入力を受けた文字情報を同一の意味を有する異種言語の文字情報に追加で変換し、
前記生成部は、追加で変換された前記異種言語の文字情報に該当する文字イメージ上の余白位置に対応する位置に記号イメージを追加で生成することを特徴とする請求項３１に記載の記号イメージ編集装置。
【請求項３６】
前記追加で生成された記号イメージを既に生成された記号イメージ上にオーバーラップ処理する編集部をさらに含むことを特徴とする請求項３５に記載の記号イメージ編集装置。
【請求項３７】
前記既に生成された記号イメージと、前記追加で生成された記号イメージは、色相、位置、明暗、明度、パターン、質感、大きさ、及び形態のうちの少なくとも１つによって区分されることを特徴とする請求項３６に記載の記号イメージ編集装置。
【請求項３８】
前記生成部は、前記変換された異種言語の文字がハングルである場合、変換されたハングル情報に該当するハングルの初声、中声、終声別に各イメージ上の余白位置に対応する位置に記号イメージを生成することを特徴とする請求項３１に記載の記号イメージ編集装置。
【請求項３９】
記号イメージ編集装置であって、
文字情報の入力を受ける入力部と、
前記入力された文字情報を同一の意味を有する異種言語の文字情報に変換する変換部と、
前記変換された異種言語の文字情報に該当する記号イメージを生成する生成部と、
を含み、
前記記号イメージは、前記変換された異種言語の文字情報に該当する文字イメージ上の余白位置に対応する位置に象徴物が形成されたイメージである記号イメージ編集装置。
【請求項４０】
前記生成部により生成された前記記号イメージの大きさ、色相、位置、及び形態のうちの少なくとも１つを調整する編集部を更に含むことを特徴とする請求項３９に記載の文字イメージ編集装置。
【請求項４１】
記号イメージ編集装置における記号イメージ編集方法であって、
（ａ）文字を形状化した記号イメージが入力される段階と、
（ｂ）前記入力された記号イメージを対応する文字に転換させる段階と、
（ｃ）前記転換された文字を同一の意味を有する異種言語の文字情報に変換する段階と、
を含み、
前記記号イメージは、前記文字のイメージ上の余白位置に対応する位置に形成される文字イメージ編集方法。
【請求項４２】
請求項４１における前記各段階を実行するプログラムが記録された記録媒体。
【請求項４３】
文字イメージ編集装置であって、
文字を形状化した記号イメージが入力される入力部と、
前記入力部に入力された記号イメージを対応する文字に転換する生成部と、
前記生成部により転換された文字を同一の意味を有する異種言語の文字情報に変換する変換部とを含み、
前記記号イメージは、前記文字のイメージ上の余白位置に対応する位置に形成される記号イメージ編集装置。
【請求項４４】
文字から少なくとも一つの記号イメージを出力する記号イメージ編集装置であって、
前記文字の幾何学的構成に関する情報を参照することにより所定の区画された空間内に少なくとも一つの記号イメージが挿入される少なくとも一つの位置を決定して、前記決定された少なくとも一つの位置に記号イメージを挿入することにより、前記文字に対応される記号イメージを取得する生成部と、
前記取得された記号イメージをディスプレイする出力部とを含み、
前記文字の幾何学的構成に関する情報は前記文字を含む前記所定の区画された空間内の余白に関する情報を含み、前記決定された少なくとも一つの位置自体が前記文字の前記幾何学的構成に関する情報を示して、
前記記号イメージは、（i）前記の文字の前記所定の区画された空間内の前記余白の形状に対応される客体、（ii）前記客体の形状を示す意味を持つ少なくとも一つの連想文字のうち、少なくとも一つを含むことを特徴とする記号イメージ編集装置。
【請求項４５】
位置座標編集装置であって、
文字の幾何学的構成に関する情報を参照することにより所定の区画された空間内に少なくとも一つの記号イメージが挿入される少なくとも一つの位置を決定して、前記決定された少なくとも一つの位置に対する座標情報を、前記記号イメージを示すために取得する生成部と、
前記取得された座標情報をディスプレイする出力部とを含み、
前記文字の幾何学的構成に関する情報は前記文字を含む前記所定の区画された空間内の余白に関する情報を含み、前記決定された少なくとも一つの位置自体が前記文字の前記幾何学的構成に関する情報を示して、
前記座標情報は、前記文字のイメージ上の余白位置に対応する位置を示すことである位置座標編集装置。
【発明の詳細な説明】
【技術分野】
【０００１】
本発明は、記号イメージ編集装置及び方法、並びにこれを実行するプログラムが記録された記録媒体に関するもので、詳細には、言語（ハングル、英語など）の文字（数字を含む）を記号イメージとして、又は記号イメージを解析して該当言語の文字（数字を含む）として出力できるようにする記号イメージ編集装置及び方法と、これを実行するプログラムが記録された記録媒体に関するものである。
【０００２】
更に、より詳しくは、本発明は、ハングル、英文字、数字などの文字を象徴化した各種製品、美術品、建築物、工芸品、都市企画などにおけるデザインの開発を容易にするだけでなく、産業、芸術、デザイン、建築、工芸、都市企画などの各種分野におけるハングル、英文字、数字などの文字が象徴化された産業生産物の開発が促進されるようにする記号イメージ編集装置及び方法とこれを実行するプログラムが記録された記録媒体に関する。
【背景技術】
【０００３】
ハングルは、１４４３年に世宗大王により創製され、世界の他の文字が有していない科学的原理と造形的特徴を有している。一方、ハングルは大韓民国の文化遺産であり、科学的原理を活用した最も素晴らしい発明の１つとして考えられるが、産業、芸術、デザイン、建築、工芸分野におけるハングルに対する正しい価値認識と活用が非常に不足しているのが現状である。
【０００４】
このように、ハングルが産業的に活用されていない理由に関する調査結果によると、消費者はデザインが美麗ではないため好まず、企業は消費者がハングルデザインを好まないか、観光商品として収益性が低いと判断し、商品に適用しないことが明らかになっている。
【０００５】
現代においては、映像メディアの発達に伴い、文字以外にイメージに対する情報伝達の重要度が高まっている。例えば、飢餓難民救済と関連して、文字や数字のみで表示された大げさな呼びかけの文よりも文字や数字にイメージが結合される場合、更に訴える力が強くなる特性を有するようになり、このような時代的特性を反映して、言語を単なる情報伝達媒体から一段とステップアップして言語の意味を象徴的に含蓄し、産業的に活用度を高められる方策が切実に求められる。特に、産業、芸術、デザイン、建築、工芸、都市企画などの各種分野において産業生産物（製品、美術品、建築物、工芸品、建物など）に言語の文字や数字を象徴的に表現することで、言語に対する認識を高め、産業的に応用可能にする。
【発明の概要】
【発明が解決しようとする課題】
【０００６】
そこで、本発明の目的は、言語（ハングル、英語など）の文字（数字を含む）を記号イメージとして、又は記号イメージを解析して該当言語の文字（数字を含む）として出力できるようにする記号イメージ編集装置及び方法と、これを実行するプログラムが記録された記録媒体を提供することにある。
【０００７】
更に、本発明の目的は、ハングル、英文字、数字などの文字を象徴化した各種製品、美術品、建築物、工芸品、都市企画などにおけるデザインの開発を容易にするだけでなく、産業、芸術、デザイン、建築、工芸、都市企画などの各種分野におけるハングル、英文字、数字などの文字が象徴化された産業生産物の開発が促進されるようにする記号イメージ編集装置及び方法と、これを実行するプログラムが記録された記録媒体を提供することにある。
【課題を解決するための手段】
【０００８】
前記目的を達成するための本発明による記号イメージ編集装置は、文字を対応する記号イメージに変換する生成部と、前記変換された記号イメージをディスプレイする出力部とを含み、前記記号イメージは、前記文字のイメージ上の余白位置に対応する位置に生成されることを特徴とする。
【０００９】
一方、本発明による記号イメージ編集装置は、記号イメージを対応する文字に変換する生成部と、前記変換された文字をディスプレイする出力部とを含み、前記記号イメージは、前記文字のイメージ上の余白位置に対応する位置に形成されることを特徴とする。
【００１０】
好ましくは、前記文字は、ハングル文字、英文字、数字のうちの少なくとも１つを含むことを特徴とする。
【００１１】
また、前記記号イメージの大きさ、位置、色相、及び形態のうちの少なくとも１つを調整する編集部を更に含むことを特徴とする。
【００１２】
また、前記記号イメージは、該当文字イメージ上の余白の形状によってその形状が決定されることを特徴とする。
【００１３】
また、前記記号イメージは、三角形、四角形、円の各図形の形状を有することを特徴とする。
【００１４】
更に、前記記号イメージは、少なくとも１つのハングル文字を表現する所定の区画された第１空間と、前記第１空間を点、線、面又は他の表示により第２空間とに分割し、分割された第２空間で初声、中声、終声の何れか１つの機能を行ってハングルを象徴的に表現できる空間区画と、前記空間区画に区分された前記第２空間に配置される三角形、四角形、円、直線のうちの少なくとも１つの象徴物で表現されることを特徴とする。
【００１５】
また、前記第２空間のそれぞれは、横方向又は縦方向又はその組み合わせで構成されることを特徴とする。
【００１６】
更に、前記第１空間のそれぞれは、横方向又は縦方向に離間して配置されることを特徴とする。
【００１７】
また、前記記号イメージは、少なくとも２つの記号イメージがオーバーラップし、オーバーラップしているそれぞれの記号イメージを区分するために、大きさ、位置、色相、形態、明暗、明度、パターン、及び質感のうちの少なくとも１つを異にして表現し、各記号イメージの判読順序を表す識別子を備えることを特徴とする。
【００１８】
本発明による記号イメージ編集方法は、ａ）文字を、対応する記号イメージに変換する段階と、ｂ）前記変換された記号イメージをディスプレイする段階とを含み、前記記号イメージは、前記文字のイメージ上の余白位置に対応する位置に生成されることを特徴とする。
【００１９】
また、本発明による記号イメージ編集方法は、ａ）記号イメージを、対応する文字に変換する段階と、ｂ）前記変換された文字をディスプレイする段階とを含み、前記記号イメージは、前記文字のイメージ上の余白位置に対応する位置に形成されることを特徴とする。
【００２０】
好ましくは、前記文字は、ハングル文字、英文字、数字のうちの少なくとも１つを含む。
【００２１】
また、前記記号イメージの大きさ、位置、色相、及び形態のうちの少なくとも１つを調整する段階を更に含むことを特徴とする。
【００２２】
更に、前記記号イメージは、該当文字又は数字イメージ上の余白の形状によってその形状が決定されることを特徴とする。
【００２３】
また、前記記号イメージは、三角形、四角形、円の各図形の形状を有することを特徴とする。
【００２４】
更に、前記記号イメージは、少なくとも１つのハングル文字を表現する所定の区画された第１空間と、前記第１空間を点、線、面又は他の表示により第２空間に分割し、分割された第２空間で初声、中声、終声の何れか１つの機能を行ってハングルを象徴的に表現できる空間区画と、前記空間区画に区分された前記第２空間に配置される三角形、四角形、円、直線のうちの少なくとも１つの象徴物で表現されることを特徴とする。
【００２５】
また、前記第２空間のそれぞれは、横方向又は縦方向又はその組み合わせで構成されることを特徴とする。
【００２６】
更に、前記第１空間のそれぞれは、横方向又は縦方向に離間して配置されることを特徴とする。
【００２７】
また、前記記号イメージは、少なくとも２つの記号イメージがオーバーラップし、オーバーラップしているそれぞれの記号イメージを区分するために、大きさ、位置、色相、形態、明暗、明度、パターン、及び質感のうちの少なくとも１つを異にして表現し、各記号イメージの判読順序を表す識別子を備えることを特徴とする。
【００２８】
一方、本発明による、記号イメージ編集装置における記号イメージ編集方法は、（ａ）前記装置が、文字情報の入力を受ける段階と、（ｂ）前記装置が、前記入力された文字情報を同一の意味を有する異種言語の文字情報に変換する段階と、（ｃ）前記装置が、前記変換された異種言語の文字情報に該当する文字イメージ上の余白位置に対応する位置に記号イメージを生成する段階と、を含む。
【００２９】
好ましくは、前記（ｃ）段階の後、前記生成された記号イメージの大きさ、位置、色相、及び形態のうちの少なくとも１つを調整する段階を更に含む。
【００３０】
また、前記記号イメージの形状は、前記文字イメージ上の余白の形状によって決定されることを特徴とする。
【００３１】
更に、前記記号イメージの形状は、三角形、四角形、及び円形の何れか１つであることを特徴とする。
【００３２】
また、前記（ｃ）段階の後、（ｄ）前記装置が、外部から追加で入力を受けた文字情報を同一の意味を有する異種言語の文字情報に変換し、変換された異種言語の文字情報に該当する文字イメージ上の余白位置に対応する位置に記号イメージを追加で生成する段階を更に含む。
【００３３】
更に、前記（ｄ）段階の後、（ｅ）前記装置が、前記追加で生成された記号イメージを前記（ｃ）段階で生成された記号イメージ上にオーバーラップする段階を更に含む。
【００３４】
また、前記（ｅ）段階において、前記（ｃ）段階で生成された記号イメージと、前記（ｄ）段階で追加生成された記号イメージとは、位置、色相、明暗、明度、パターン、質感、大きさ、及び形態のうちの少なくとも１つによって区分されることを特徴とする。
【００３５】
更に、前記（ｃ）段階は、前記変換された異種言語の文字がハングルである場合、変換されたハングル情報に該当するハングルの初声、中声、終声別に各イメージ上の余白位置に対応する位置に記号イメージを生成することを特徴とする。
【００３６】
一方、本発明による記号イメージ編集装置における記号イメージ編集方法は、（ａ）前記装置が、文字情報の入力を受ける段階と、（ｂ）前記装置が、前記入力された文字情報を同一の意味を有する異種言語の文字情報に変換する段階と、（ｃ）前記装置が、前記変換された異種言語の文字情報に該当する記号イメージを生成する段階とを含み、前記記号イメージは、前記変換された異種言語の文字情報に該当する文字イメージ上の余白位置に対応する位置に象徴物が形成されたイメージであることを特徴とする。
【００３７】
一方、本発明による記録媒体は、前記各段階を実行するプログラムが記録されたことを特徴とする。
【００３８】
一方、本発明による記号イメージ編集装置において、文字情報の入力を受ける入力部と、前記入力部に入力された文字情報を同一の意味を有する異種言語の文字情報に変換する変換部と、前記変換部により変換された異種言語の文字情報に該当する文字イメージ上の余白位置に対応する位置に記号イメージを生成する生成部と、を含む。
【００３９】
好ましくは、前記生成部により生成された前記記号イメージの大きさ、位置、及び形態のうちの少なくとも１つを調整する編集部を更に含む。
【００４０】
また、前記記号イメージの形状は、前記文字イメージ上の余白の形状によって決定されることを特徴とする。
【００４１】
更に、前記記号イメージの形状は、三角形、四角形、及び円形の何れか１つであることを特徴とする。
【００４２】
また、前記変換部は、外部から追加で入力を受けた文字情報を同一の意味を有する異種言語の文字情報に追加で変換し、前記生成部は、追加で変換された前記異種言語の文字情報に該当する文字イメージ上の余白位置に対応する位置に記号イメージを追加で生成することを特徴とする。
【００４３】
更に、前記編集部は、前記追加で生成された記号イメージを既に生成された記号イメージ上にオーバーラップ処理することを特徴とする。
【００４４】
また、前記既に生成された記号イメージと、前記追加で生成された記号イメージは、色相、位置、明暗、明度、パターン、質感、大きさ、及び形態のうちの少なくとも１つによって区分されることを特徴とする。
【００４５】
更に、前記生成部は、前記変換された異種言語の文字がハングルである場合、変換されたハングル情報に該当するハングルの初声、中声、終声別に各イメージ上の余白位置に対応する位置に記号イメージを生成することを特徴とする。
【００４６】
一方、本発明による記号イメージ編集装置において、文字情報の入力を受ける入力部と、前記入力された文字情報を同一の意味を有する異種言語の文字情報に変換する変換部と、前記変換された異種言語の文字情報に該当する記号イメージを生成する生成部と、を含み、前記記号イメージは、前記変換された異種言語の文字情報に該当する文字イメージ上の余白位置に対応する位置に象徴物が形成されたイメージであることを特徴とする。
【００４７】
また、前記生成部により生成された前記記号イメージの大きさ、色相、位置、及び形態のうちの少なくとも１つを調整する編集部を更に含む。
【００４８】
一方、本発明による記号イメージ編集装置における記号イメージ編集方法は、（ａ）文字を形状化した記号イメージが入力される段階と、（ｂ）前記入力された記号イメージを対応する文字に転換させる段階と、（ｃ）前記転換された文字を同一の意味を有する異種言語の文字情報に変換する段階と、を含み、前記記号イメージは、前記文字のイメージ上の余白位置に対応する位置に形成されることを特徴とする。
【００４９】
一方、本発明による記録媒体は、前記各段階を実行するプログラムが記録されたことを特徴とする。
【００５０】
一方、本発明による文字イメージ編集装置は、文字を形状化した記号イメージが入力される入力部と、前記入力部に入力された記号イメージを対応する文字に転換する生成部と、前記生成部により転換された文字を同一の意味を有する異種言語の文字情報に変換する変換部とを含み、前記記号イメージは、前記文字のイメージ上の余白位置に対応する位置に形成されることを特徴とする。
【発明の効果】
【００５１】
本発明によれば、ハングルなどの文字を象徴化した各種製品、美術品、建築物、工芸品、都市企画などにおけるデザインの開発が容易になるという効果を奏する。
【００５２】
また、本発明によれば、産業、芸術、デザイン、建築、工芸、都市企画などの各種分野でのハングルなどの文字が象徴化された産業生産物の開発を促進できるようになる。
【００５３】
更に、本発明によれば、第１言語にだけ馴染んでおり、第２言語には馴染みのないユーザも自分が馴染んでいる第１言語と同一の意味を有する第２言語が形状化された記号イメージを自由に生成及び編集できるようになる。
【００５４】
また、本発明によれば、ユーザは、自分がその意味を理解できない文字の情報が形状化された記号イメージの意味を、自分が馴染んでいる言語として容易に理解できるようになる。
【図面の簡単な説明】
【００５５】
【図１】本発明が適用され得る記号イメージ編集装置の構成を示す図である。
【図２】本発明の実施形態によって記号イメージを抽出する過程を示す図である。
【図３】本発明の実施形態によってハングルの初声に対応する記号イメージを生成する原理を示す図である。
【図４】本発明の実施形態によってハングルの中声に対応する記号イメージを生成する原理を示す図である。
【図５】本発明の実施形態によってハングルの終声に対応する記号イメージを生成する原理を示す図である。
【図６】本発明の実施形態によって記号イメージを変形生成する原理を説明する図である。
【図７】本発明の実施形態によってハングルの初声、中声、終声に対する記号イメージがそれぞれ生成される領域を説明する図である。
【図８】本発明の実施形態によってアラビア数字に対応する記号イメージを生成する原理を示す図である。
【図９】本発明の実施形態によって空間区画と象徴物により表現される数字を活用した時計デザインを例示した図である。
【図１０】本発明の実施形態によって英語の大文字に対応する記号イメージを生成する原理を示す図である。
【図１１】本発明の実施形態によって英語の小文字に対応する記号イメージを生成する原理を示す図である。
【図１２】本発明の実施形態によって編集されたハングルイメージの例を示す図である。
【図１３】本発明の実施形態によって空間区画における点の使用を例示した図である。
【図１４】本発明の実施形態によって空間区画における線の使用を例示した図である。
【図１５】本発明の実施形態によって空間区画における面の使用を例示した図である。
【図１６】本発明の実施形態によって空間区画における面の使用を例示した図である。
【図１７】本発明の実施形態によって空間区画における点、線、面の混合使用を例示した図である。
【図１８】本発明の実施形態によって空間区画の自由な変形を例示した図である。
【図１９】本発明の実施形態によって空間区画の自由な変形を例示した図である。
【図２０】本発明の実施形態によって空間区画の自由な変形を例示した図である。
【図２１】本発明の実施形態によって空間区画の自由な変形を例示した図である。
【図２２】本発明の実施形態によって空間区画の自由な変形を例示した図である。
【図２３】本発明の実施形態によって象徴物の誇張と位置変化を例示した図である。
【図２４】本発明の実施形態によって空間区画における象徴物の位置を定義した位置座標を例示した図である。
【図２５】本発明の実施形態によって同一の象徴物を初声、中声、終声に用いたことを例示した図である。
【図２６】本発明の実施形態によって記号、図形形状の物事、及び文字を象徴物としてそれぞれ用いたことを例示した図である。
【図２７】本発明の実施形態によって空間に絵を配置し、落款を象徴物として用いたことを例示した図である。
【図２８】本発明の実施形態によって建築物を用いて空間区画とステンドグラスを象徴物として用いたことを例示した図である。
【図２９】本発明の実施形態によって道路を用いて空間区画を、建築物を用いた象徴物を例示した図である。
【図３０】本発明の実施形態によって道路と江、木、草木、公園などの地形地物を用いた空間区画を例示した図である。
【図３１】本発明の実施形態によって文字がオーバーラップしている例を示す図である。
【図３２】本発明の実施形態によってオーバーラップしている文字を判読する例を示す図である。
【図３３】本発明の実施形態によって記号イメージ編集方法を示す図である。
【図３４】本発明の実施形態によって反転文字に対する記号イメージを示す図である。
【図３５】本発明の実施形態によって反転文字に対する記号イメージを示す図である。
【図３６】本発明の実施形態によって反転文字に対する記号イメージを示す図である。
【図３７】本発明の実施形態によって反転文字に対する記号イメージを示す図である。
【図３８】本発明の実施形態によって反転文字に対する記号イメージを示す図である。
【図３９】密度及び構成により表示された記号イメージを示す図である。
【図４０】自然物を用いて記号イメージを実現する活用例を示す図である。
【図４１】英文字における重複表示された記号イメージを示す図である。
【図４２】英文字における空間区画の類型を示す図である。
【図４３】英文字における空間区画によって表示された記号イメージを示す図である。
【図４４】本発明による記号イメージの生成原理を説明する図である。
【図４５】本発明の他の実施形態による文字イメージ編集装置の構造を説明する機能ブロック図である。
【図４６】本発明の他の実施形態による文字イメージ編集方法の原理を説明する手順フローチャートである。
【図４７】本発明の更に他の実施形態による文字イメージ編集方法の原理を説明する手順フローチャートである。
【図４８】本発明の実施形態によって英文字Ｓの記号イメージの応用変形例を示す図である。
【発明を実施するための形態】
【００５６】
以下、添付の図面を参照して本発明の実施形態について詳細に説明する。但し、以下の説明では、本発明の要旨を不要に曖昧にするおそれがある場合、公知の機能や構成に関する具体的な説明は省略する。
【００５７】
本発明における「記号イメージ」は、特にハングルの創製原理とハングルの子・母音が特徴的に持つ三角形、四角形、円の形で文字を幾何学的に表現する概念に基づいて文字を象徴的に表現したものであって、所定の区画された空間（例えば、四角形のイメージフレーム）で空間を区分し（空間区画）、区分された空間の一部分に象徴物が配置される。また、英語の文字や数字に対応する記号イメージは、英文字や数字を象徴的に表現したものであって、所定の区画された空間（例えば、四角形のイメージフレーム）で空間の一部分に象徴物が配置される。ここで、象徴物は、言語（ハングル、英語など）の文字や数字を一定の枠に入れ、空き空間（余白）から把握された形状を点、線、面などで単純化したものであって、この際、点は三角形、四角形、円などの多様な形状を有することができる。また、前記で把握された空き空間（余白）の位置を表示する手段として定義されることもできる。
【００５８】
このように、本発明における「記号イメージ」は、三角形、四角形、円などの象徴物の大きさが小さく表現される場合、多様な形状の点（ｄｏｔ）で構成されるので、本明細書における「ドット（ｄｏｔ）イメージ」は、「記号イメージ」及び「象徴物」と同一の意味として用いられた。
【００５９】
図４４は、本発明による記号イメージの構成原理を説明する図である。図４４を参照して、ハングル文字である
0006461814.tif 000002
に対する記号イメージを構成する原理を説明すると、まず、図４４の（ａ）のように、線で表示された文字である
0006461814.tif 000003
を図４４の（ｂ）のように、広さを有する面で表示する。
【００６０】
その次に、これを図４４の（ｃ）のように、広さを有する面を体積と質量を有する立体で表示し、図４４の（ｄ）のように、体積と質量を有する立体に外枠を設ける。
【００６１】
その次に、図４４の（ｅ）のように、外枠により形成された余白空間に溶鉄を入れ、それにより、図４４の（ｆ）のように、余白空間に満たされた溶鉄が凝固する。
【００６２】
その次に、図４４の（ｇ）のように、
0006461814.tif 000004
に対応する体積と質量を有する立体を除去した後に、図４４の（ｈ）のように、凝固した溶鉄からなる金属体を加工してその大きさを縮小させる。
【００６３】
それにより、図４４の（ｉ）のように、外枠内で金属体の大きさが次第に減少するようになり、これを上から見ると、図４４の（ｊ）のように、縮小された金属体と外枠により
0006461814.tif 000005
に対応する記号イメージが現れるようになる。数字とアルファベットを含む他の文字もこのような原理により各文字が記号イメージで構成され得る。
【００６４】
一方、図１は、本発明が適用され得る記号イメージ編集装置の構成を示す図である。図１を参照すれば、記号イメージ編集装置１００は、入力部１１０、制御部１２０、格納部１３０及び出力部１４０を含む。本発明の記号イメージ編集装置１００は、装置自体で動作可能であるか（下記の第１実施形態を参照）、通信端末に備えられ、データ通信網を介して外部の他の装置（本発明の記号イメージ編集装置１００のような装置であって、他の通信端末に備えられるか、他の通信端末と連動される）と通信することも可能である（下記の第２及び第３実施形態を参照）。データ通信網としては、有／無線電話網及びインターネット、ブルートゥースなどが挙げられる。通信端末としては、有／無線電話機、ＳＩＰ（Session Initiation Protocol）端末、携帯電話、ＰＤＡ、パソコン、ハンドヘルドコンピュータ、有／無線モデムを装着したノートブック、スマートグラス、スマートカメラ、スマートワッチ、ブラックボックス、ナビゲーション、映像記録装置、スマートテレビなどの有／無線データ通信が可能な通信機器などが挙げられる。
【００６５】
第１実施形態として、記号イメージ編集装置１００は、入力部１１０によって入力された言語（ハングル、英語など）の文字（数字を含む）を記号イメージに変換して出力部１４０によりリアルタイムで出力する。また、記号イメージ編集装置１００は、入力部１１０によって入力された記号イメージを解析して該当言語の文字（数字を含む）を、出力部１４０によりリアルタイムで出力する。即ち、第１実施形態は、記号イメージ編集装置１００内で入／出力過程を何れも行う。
【００６６】
第２実施形態として、記号イメージ編集装置１００は、入力部１１０によって入力された言語（ハングル、英語など）の文字（数字を含む）情報を外部の他の装置に伝達する。また、記号イメージ編集装置１００は、入力部１１０によって入力された記号イメージを解析して該当言語の文字（数字を含む）情報を外部の他の装置に伝達する。即ち、第２実施形態は、記号イメージ編集装置１００内で入力過程を行い、外部の他の装置によって出力過程を行う。
【００６７】
第３実施形態として、記号イメージ編集装置１００は、外部の他の装置から伝達された言語（ハングル、英語など）の文字（数字を含む）を記号イメージに変換して出力部１４０によりリアルタイムで出力する。このとき、外部の他の装置は、入力部１１０によって入力された言語（ハングル、英語など）の文字（数字を含む）情報を記号イメージ編集装置１００に伝達するか、入力部１１０によって入力された記号イメージを解析して該当言語の文字（数字を含む）情報を記号イメージ編集装置１００に伝達する。即ち、第３実施形態は、外部の他の装置によって入力過程を行い、記号イメージ編集装置１００内で出力過程を行う。
【００６８】
一方、本発明を実施するにおいては、第４実施形態として外部の他の装置によって入力過程を行うが、記号イメージ編集装置１００内で出力過程を行わず、更に別の外部の他の装置によって出力過程を行うこともできる。
【００６９】
前記第２及び第３実施形態において、外部の他の装置は、本発明の記号イメージ編集装置１００のような装置であって、他の通信端末に備えられるか、他の通信端末と連動して駆動され、データ通信網を介して本発明の記号イメージ編集装置１００と通信する装置である。
【００７０】
記号イメージは、文字又は数字イメージ上の余白位置に対応する位置に生成され、該当文字又は数字イメージ上の余白の形状によって決定される。
【００７１】
特に、ハングル文字に対応する記号イメージは、ハングル文字を象徴的に表現したものであって、少なくとも１つのハングル文字を表現する所定の区画された空間でハングルの初声、中声、終声を区分できるように空間分割して分割された空間の一部分に象徴物が配置される。一方、本発明の実施において、一部の文字（ハングル中声の
0006461814.tif 000006
と英語の小文字のｌ、数字の１など）においては、象徴物が全く配置されない場合もある。
【００７２】
また、英文字又は数字に対応する記号イメージは、英文字又は数字を象徴的に表現したものであって、少なくとも１つの英文字又は数字を表現する所定の区画された空間で空間の一部分に象徴物が配置される。
【００７３】
前記第２及び第３実施形態において、外部の他の装置の入／出力過程は、前記第１実施形態における記号イメージ編集装置１００の入／出力過程と同一であるので、以下では第１実施形態を中心に説明する。
【００７４】
制御部１２０は、第１実施形態によって入力部１１０から入力された、又は第３実施形態によって外部の他の装置から伝達された言語（ハングル、英語など）の文字（数字を含む）情報を記号イメージに変換して出力部１４０によりディスプレイしたり、プリンタ出力する機能を行う。制御部１２０は、生成部１２１及び編集部１２２を含む。
【００７５】
一実施形態において、生成部１２１は、入力部１１０によって入力された言語の文字や数字情報に該当する文字／数字イメージ上の余白位置に対応する位置に記号イメージを生成して出力部１４０の表示画面上にディスプレイするか、プリンタ出力する。生成された記号イメージは、格納部１３０に格納される。
【００７６】
また、本発明の実施において、格納部１３０には、文字／数字に対して下記で説明する記号イメージの生成原理に従ってそれぞれ生成された記号イメージが各文字／数字にマップされて格納されている状態で、生成部１２１は、ユーザが入力した文字／数字にマップされて格納部１３０に格納されている記号イメージをリアルタイムで抽出して、出力部１４０の表示画面上にディスプレイするか、プリンタ出力することもできる。
【００７７】
他の実施形態において、生成部１２１は、入力部１１０によって入力された記号イメージを解析し、ユーザが入力した記号イメージにマップされて格納部１３０に格納されている文字／数字をリアルタイムで抽出して、該当言語の文字／数字を出力部１４０により出力する。
【００７８】
編集部１２２は、出力部１４０の表示画面上にディスプレイされた記号イメージをユーザがその大きさ又は位置などを調整する編集命令を、入力部１１０によって入力する場合に編集命令に従って記号イメージを編集する機能を行う（出力過程におけるイメージ編集機能）。また、編集部１２２は、記号イメージが表現される所定の区画された空間（例えば、四角形のイメージフレーム）及びその空間を区分した空間区画（例えば、ハングルの初声、中声、終声を区分するための空間分割）を自由に編集し構成できる（入／出力過程における空間編集機能）。
【００７９】
一実施形態において入力部１１０は、ユーザが、記号イメージとして出力（ディスプレイ又はプリンタ出力など）したい言語の文字や数字情報を入力するのに用いられ、またユーザが、生成された記号イメージに対する編集命令を入力するのに用いられる。
【００８０】
他の実施形態において入力部１１０は、ユーザが言語の文字や数字として出力（ディスプレイ又はプリンタ出力など）したい記号イメージを入力するのに用いられ、またユーザが入力する記号イメージに対する編集命令を入力するのに用いられる。
【００８１】
更に他の実施形態において、入力部１１０は、ユーザが所望する記号イメージが表現できる所定の区画された空間（例えば、四角形のイメージフレーム）及びその空間を区分した空間区画（例えば、ハングルの初声、中声、終声を区分するための空間分割）に対する編集命令を入力するのに用いられる。
【００８２】
入力部１１０は、キーパッド、タッチスクリーン部、マウスパッド、マウス、光学ペン、電気信号センサなどで構成され得る。また、タッチスクリーン部で入力する文字／数字の入力を、キーパッドを用いて入力することも可能であり、キーパッドで入力する文字／数字の入力を、タッチスクリーン部を用いて入力することも可能である。本発明の適用対象は、キーパッドのみを備えた装置、又はタッチスクリーン部のみを備えた装置、又はキーパッド、タッチスクリーン部、電気信号センサを備えた装置でもよい。
【００８３】
また、電気信号センサによる動作の検知は、図２４に示すように、記号イメージが位置する座標を参照し、人間の身体や瞳、又は脳波の動作信号を入力して記号イメージを生成することができる。
【００８４】
キーパッドは、数字と特殊文字又は文字を入力するための多数のキーボタンで構成される。また、入力された文字／数字を格納し、修正又は読み込む機能ボタンと通常のボタンが更に備えられ、ユーザの指示を制御部１２０に伝送する媒介体としての機能を行う。キーパッドは、ユーザが手などを使って文字（子音、母音）／数字キーに所定の圧力を加えれば（又は微細電流を加えるか、センサによりユーザの動作を認識させれば）、これに該当する文字／数字の認識に必要なデータ、即ちキーデータを発生して制御部１２０に伝達し、制御部１２０は、印加されるキーデータに対応する文字／数字コードデータを格納部１３０で確認し、文字／数字コードデータにマップされた記号イメージを抽出して出力部１４０にディスプレイするか、プリンタ出力する。文字や数字の入力のためのキーパッドのハードキーの構成と、キーパッドによる文字／数字の認識及び組み合わせ方式は、公知の技術を適用して構成できるので、これについての詳細な説明は省略する。
【００８５】
また、タッチスクリーン部は、客体指向的文字／数字情報の入力手段であるので、ユーザが手やスタイラスペンのような筆記具などを用いてパネル上面の文字（子音、母音）／数字に所定の圧力を加えれば、これに該当する文字／数字の認識に必要なデータ、即ちタッチスクリーンデータを発生して制御部１２０に伝達し、制御部１２０は、印加されるタッチスクリーンデータに対応する文字／数字コードデータを格納部１３０で確認し、文字／数字コードデータにマップされた記号イメージを抽出して出力部１４０にディスプレイするか、プリンタ出力する。文字や数字の入力のためのタッチスクリーン部のソフトキーの構成と、タッチスクリーン部による文字／数字の認識及び組み合わせ方式は、公知の技術を適用して構成できるので、これについての詳細な説明は省略する。
【００８６】
格納部１３０は、制御部１２０により処理された機能を駆動するためのプログラム、ユーザの利便性と基本的な多様な機能を実現するための所定のプログラムなどを格納する。例えば、ＲＡＭのような揮発性メモリ又はフラッシュメモリのような非揮発性メモリで実現され、装置の全般的な動作を総括的に制御するプログラムや入力部１１０から入力されたデータを処理する動作プログラムなどが格納される。特に、格納部１３０は、本発明の実施により入力処理されるキーデータ又はタッチスクリーンデータに対応する文字／数字コードデータとこれにマップされた記号イメージを有している。文字／数字コードデータにマップされる記号イメージについては後述する。
【００８７】
出力部１４０は、制御部１２０の制御の下でディスプレイ又はプリンタ出力動作を行う。一実施形態において、出力部１４０に出力される記号イメージ情報は、入力部１１０によって入力された文字／数字情報に対応する情報である。即ち、ユーザが文字／数字を入力すれば、これに対応する文字／数字コードデータが抽出され、これにマップされた記号イメージが出力されて出力部１４０の表示画面上にディスプレイされるか、プリンタ出力される。他の実施形態において、出力部１４０に出力される文字／数字情報は、入力部１１０によって入力された記号イメージ情報に対応する情報である。即ち、ユーザが記号イメージを入力すれば、これを解析して対応する文字／数字コードデータが抽出され、これにマップされた記号イメージが出力されて出力部１４０の表示画面上にディスプレイされるか、プリンタ出力される。
【００８８】
0006461814.tif 000007
【００８９】
このように、記号イメージ編集装置１００は、言語（ハングル、英語など）の文字（数字を含む）を記号イメージとして、又は記号イメージを解析して該当言語の文字（数字を含む）として出力する。前述したように、ハングルの文字に対応する記号イメージは、言語の文字や数字を象徴的に表現したものであって、少なくとも１つのハングル文字（少なくとも１つの音節）を表現する所定の区画された空間（例えば、四角形のイメージフレーム）で空間を区分し（空間区画）、区分された空間の一部分に少なくとも１つが配置された象徴物である。この象徴物は、言語（ハングル、英語など）の文字や数字を一定の枠に入れ、空き空間から把握された形状を点、線、面などで単純化したものであり、この際、点は三角形、四角形、円などの多様な形状を有することができる。
【００９０】
言語の文字や数字を象徴化した記号イメージは、言語の文字や数字を印刷などに用いられる平面的な対象ではない体積と質量を有する物体として規定し、これを一定の枠に入れ、空いている空間に溶鉄を注いで得られる鋳物を加工して元の枠と共に文字や数字を簡単、且つ、象徴的に表現する文字／数字加工技術を基礎としており、図２に文字や数字の加工過程を平面的に例示した。即ち、言語の文字や数字の表現に空間の概念を付与し、これを単純化した空間で表現し、言語の文字や数字を加工してこれを単純化して表現できる象徴物である三角形、四角形、円などを抽出した後、この象徴物を空間に配置して言語の数字や文字を象徴的に表現する。このとき、象徴物の大きさ、色相、形態、位置を変化させることができる。
【００９１】
従って、出力部１４０の表示画面上にディスプレイされるハングルの記号イメージは、少なくとも１つのハングル文字（少なくとも１つの音節）を表現する所定の区画された第１空間と、第１空間を点、線、面又は他の表示により区分し（第１空間を空間区画して第２空間に分割）、区分された第２空間で初声、中声、終声の何れか１つの機能を行ってハングルを象徴的に表現できる空間区画と、空間区画に区分された第２空間に配置される三角形、四角形、円、直線のうちの象徴物で表現される。ここで、空間区画に区分された第２空間のそれぞれは、横方向又は縦方向又はその組み合わせで構成され得、各第１空間は、横方向又は縦方向に離間して配置され得る。そして、象徴物は、三角形、四角形、円の各図形の形状を有する物事や形状を有するように構成された物事、及び各図形を連想させる文字の１つであり得る。
【００９２】
一実施形態として、ハングルの文字に対して記号イメージを生成する原理を検討すると、以下の通りである。
【００９３】
図３〜図５は、本発明の一実施形態によってハングルに対応する記号イメージを生成する原理を示す図であり、図４は、点、線、面を共に活用したハングルの初声、中声、終声を例示した図であり、図７は、空間区画でハングルの初声、中声、終声を例示した図である。前述したように、空間区画は、例えばハングルの初声、中声、終声を区分するための空間分割を意味する。
【００９４】
まず、図３は、ハングルの初声に対応する記号イメージを生成する原理を説明している。具体的に、（ａ）は
0006461814.tif 000008
での余白位置である左側下段に四角形の記号イメージを生成したものであり、（ｂ）は
0006461814.tif 000009
での余白位置である右側上段に余白の形状と同一の四角形の記号イメージを生成したものであり、（ｃ）は
0006461814.tif 000010
での余白位置である右側中段に余白の形状と同一の四角形の記号イメージを生成したものである。
【００９５】
また、（ｄ）は
0006461814.tif 000011
での余白位置に余白の形状と同一の四角形の記号イメージを生成したものであり、（ｅ）は
0006461814.tif 000012
での余白位置である中央に余白の形状と同一の四角形の記号イメージを生成したものである。また、（ｆ）は
0006461814.tif 000013
での余白位置である中央と上側中段にそれぞれ余白の形状と同一の四角形の記号イメージを生成したものであり、（ｇ）は
0006461814.tif 000014
での余白位置である下側中段に余白の形状と同一の三角形の記号イメージを生成したものであり、また（ｈ）は
0006461814.tif 000015
での余白位置である中央に余白の形状と同一の円形の記号イメージを生成したものである。
【００９６】
参考までに、本発明では、各ハングルのイメージ上での余白の形状が四角形、三角形、又は円形である場合にのみ該当余白の位置に対応する位置に余白の形状と同一の形状の記号イメージを生成し、十分な識別力を有する場合、一部の余白の記号は削除され得る。また、各ハングルのイメージ上での余白の位置に余白と異なる形状を有する記号イメージの生成も可能であり、これは余白が文字の固有な特性を決定するためである。
【００９７】
0006461814.tif 000016
【００９８】
一方、図４は、ハングルの初声と中声が結合されている文字に対応する記号イメージを生成する原理を説明している。但し、母音単独で表現せず、分かりやすいように子音
0006461814.tif 000017
と共に表現した。図４に示すように、初声と中声が結合されている文字に対応する記号イメージを生成するにおいて、まず図３での四角形のイメージフレームを図７の（ａ）、（ｂ）、（ｃ）のように、初声領域と中声領域とに区分し（これを「空間区画」という）、初声イメージフレームと中声イメージフレームにそれぞれ独立して初声と中声に対応する記号イメージを生成するようになる。
【００９９】
初声イメージフレームに初声に対応する記号イメージを生成する原理は、図３で説明した原理と同一であり、本発明では、中声イメージフレームに中声に対応する記号イメージの生成においても中声のイメージ上での余白の位置に対応する位置に余白の形状と同一の形状である四角形の記号イメージを生成した。
【０１００】
0006461814.tif 000018
【０１０１】
0006461814.tif 000019
【０１０２】
0006461814.tif 000020
【０１０３】
一方、初声と中声と終声が結合されている文字に対応する記号イメージを生成するにおいては、まず図３での四角形のイメージフレームを図７の（ｄ）〜（ｆ）のように、初声領域、中声領域、及び終声領域に区分し（これを「空間区画」という）、初声イメージフレーム、中声イメージフレーム、及び終声イメージフレームにそれぞれ独立して初声と中声と終声に対応する記号イメージを生成するようになる。
【０１０４】
0006461814.tif 000021
【０１０５】
ハングルの合成子音のうち、初声としては用いられず、終声としてのみ用いられる、いわゆる複合子音の場合にもハングルの他の合成子音の場合と同様、終声イメージフレームを２つの領域に分画した状態で、分離された２つのイメージフレームにそれぞれの子音に対応する記号イメージを生成するようになる。
【０１０６】
0006461814.tif 000022
【０１０７】
このように、図３〜図５での原理に従って記号イメージを生成でき、図６に示すように、記号の変形した形態によってイメージを生成することもできる。
【０１０８】
図６での変形生成例は、円形の記号イメージ、菱形の記号イメージ、縦線分形の記号イメージの相互変形が可能であることを含んでおり、四角形の記号イメージ、三角形の記号イメージ、線分形の記号イメージの相互変形が可能であることを含んでおり、ここで線分形の記号イメージの横、縦、対角線などの方向は、変形前の記号イメージの位置によって決定されることを示している。
【０１０９】
具体的に、図６の（ｏ）、（ｐ）に示すように、母音を表示する記号形態である四角形の記号を短い縦線分に替えて生成することもでき、（ｄ）に示すように、子音のうち、
0006461814.tif 000023
を表示する記号形態である左右側の四角形の記号をそれぞれ横線分に替えて生成するか、横線分を対角線の線分で連結して「Ｚ」の形態で表現するか、稲妻状の「Ｚ」の形態で表現できる。
【０１１０】
また、（ｉ）、（ｊ）、（ｎ）に示すように、
0006461814.tif 000024
を表す記号のうち、四角形又は三角形の記号イメージを相互変換するか、これらをそれぞれ短い横線分に替えて生成することもできる。更に、頂点に位置する記号イメージを対角線の線分に替えて生成できる。
【０１１１】
また、（ｋ）に示すように、
0006461814.tif 000025
を表す記号のうち、左側段の中間での四角形記号のみを短い横線分に替えて生成するか、頂点に位置する記号イメージを対角線の線分に替えて生成することもできる。
【０１１２】
更に、（ｌ）に示すように、
0006461814.tif 000026
を表す記号形態である右側段の四角形の記号をそれぞれ長い横線分に替えて生成するか、このように生成された２つの横線分を連結する追加の線分を生成することもできる。
【０１１３】
また（ｆ）に示すように、
0006461814.tif 000027
を表す記号のうち、中間での四角形の記号のみを短い線分に替えて生成するか、上段の中間での四角形の記号を縦線分に替えて追加で生成することもできる。
【０１１４】
更に、図１を参照すれば、一実施形態として、生成部１２１は、入力部１１０によって入力されたハングルの文字に該当する文字イメージ上の余白位置に対応する位置に記号イメージを生成し、即ち四角形のイメージフレームを図７の（ａ）、（ｂ）、（ｃ）に示すように、初声領域と中声領域とに区分し（空間区画）、初声イメージフレームと中声イメージフレームにそれぞれ独立して初声と中声に対応する記号イメージを生成するか、又は四角形のイメージフレームを図７の（ｄ）〜（ｆ）に示すように、初声領域、中声領域、及び終声領域に区分して（空間区画）、初声イメージフレーム、中声イメージフレーム、及び終声イメージフレームにそれぞれ独立して初声と中声と終声に対応する記号イメージを生成して出力部１４０の表示画面上にディスプレイするか、プリンタ出力する。
【０１１５】
また、生成部１２１は、ユーザが入力した文字にマップされて格納部１３０に格納されている記号イメージを抽出し、四角形のイメージフレームを図７の（ａ）、（ｂ）、（ｃ）に示すように、初声領域と中声領域とに区分し（空間区画）、初声イメージフレームと中声イメージフレームにそれぞれ独立して初声と中声に対応する記号イメージや、又は四角形のイメージフレームを図７の（ｄ）〜（ｆ）に示すように、初声領域、中声領域、及び終声領域に区分して（空間区画）、初声イメージフレーム、中声イメージフレーム、及び終声イメージフレームにそれぞれ独立して初声と中声と終声に対応する記号イメージを出力部１４０の表示画面上にディスプレイするか、プリンタ出力する。
【０１１６】
他の実施形態として、入力部１１０によってユーザは言語の文字で出力（ディスプレイ又はプリンタ出力など）を所望する記号イメージを入力することもできるが、ハングルの初声と中声が結合されている文字に対しては図７の（ａ）、（ｂ）、（ｃ）の何れか１つを選択し、ハングルの初声と中声と終声が結合されている文字に対しては図７の（ｄ）、（ｅ）、（ｆ）の何れか１つを選択した後、象徴物を配置する部分を指定する。すると、象徴物の形状（点、線、面など）を選択できる段階に進む。仮に、ユーザが『点』を選択した場合、再び点の形状（三角形、四角形、円など）を選択できる段階に進む。このように所定の区画された空間（例えば、四角形のイメージフレーム）で空間区画に区分された空間の一部分に象徴物を配置すれば、生成部１２１は入力部１１０によって入力された記号イメージを解析し、ユーザが入力した記号イメージにマップされて格納部１３０に格納されている文字を抽出して該当言語の文字を出力部１４０によりリアルタイムで出力する。
【０１１７】
このように入力部１１０によってユーザが記号イメージで出力（ディスプレイ又はプリンタ出力など）したい言語の文字情報を入力でき、他方でユーザが言語の文字で出力（ディスプレイ又はプリンタ出力など）したい記号イメージを入力することもできる。
【０１１８】
一方、数字入力モードでアラビア数字の数は、計１０個であれば表現可能である。即ち、アラビア数字は、「０」、「１」、「２」、「３」、「４」、「５」、「６」、「７」、「８」、「９」で構成される。
【０１１９】
アラビア数字に対する記号イメージは、所定の区画された空間（例えば、四角形のイメージフレーム）で空間の一部分に象徴物を配置して表現可能である。但し、数字は初声／中声／終声に区分されないので、区画された空間を再び区分（空間区画）する必要はない。ここで、象徴物はアラビア数字を一定の枠に入れ、空き空間から把握された形状を点、線、面などで単純化したものであり、この際、点は三角形、四角形、円などの多様な形状を有することができる。
【０１２０】
図８は、アラビア数字に対応する記号イメージを数字イメージフレームに生成する原理を説明している。図８において、（ａ）は数字の「０に対応する記号イメージであり、（ｂ）は数字の「１」に対応する記号イメージであり、（ｃ）は数字の「２」に対応する記号イメージであり、（ｄ）は数字の「３」に対応する記号イメージであり、（ｅ）は数字の「４」に対応する記号イメージであり、（ｆ）は数字の「５」に対応する記号イメージであり、（ｇ）は数字の「６」に対応する記号イメージであり、（ｈ）は数字の「７」に対応する記号イメージであり、（ｉ）は数字の「８」に対応する記号イメージであり、（ｊ）は数字の「９」に対応する記号イメージである。前記のように数字に対応する記号イメージは、図９に示すように、時計に適用して空間区画と象徴物により数字を表現できる。
【０１２１】
一方、英語単語の入力モードで英語のアルファベット数は、大文字及び小文字のそれぞれ２６個ずつ計５２個であれば、表現可能である。２６個の大文字（／小文字）の英語のアルファベットのうち、５つの母音アルファベット、即ち『Ａ（／ａ）』、『Ｅ（／ｅ）』、『Ｉ（／ｉ）』、『Ｏ（／ｏ）』、『Ｕ（／ｕ）』を除いた残りの２１個のアルファベットを「子音アルファベット」と称する。即ち、大文字（／小文字）の英語のアルファベットは、２１個の子音アルファベット（即ち、「Ｂ（／ｂ）」、「Ｃ（／ｃ）」、「Ｄ（／ｄ）」、「Ｆ（／ｆ）」、「Ｇ（／ｇ）」、「Ｈ（／ｈ）」、「Ｊ（／ｊ）」、「Ｋ（／ｋ）」、「Ｌ（／ｌ）」、「Ｍ（／ｍ）」、「Ｎ（／ｎ）」、「Ｐ（／ｐ）」、「Ｑ（／ｑ）」、「Ｒ（／ｒ）」、「Ｓ（／ｓ）」、「Ｔ（／ｔ）」、「Ｖ（／ｖ）」、「Ｗ（／ｗ）」、「Ｘ（／ｘ）」、「Ｙ（／ｙ）」、「Ｚ（／ｚ）」）と、５つの母音アルファベット（即ち、「Ａ（／ａ）」、「Ｅ（／ｅ）」、「Ｉ（／ｉ）」、「Ｏ（／ｏ）」、「Ｕ（／ｕ）」）とで構成される。
【０１２２】
図１０は、英語の大文字に対応する記号イメージを英文字イメージフレームに生成する原理を説明しており、図１１は、英語の小文字に対応する記号イメージを英文字イメージフレームに生成する原理を説明している。図１０及び図１１における、（ａ）〜（ｚ）は、英語の大文字及び小文字『Ａ（／ａ）』から『Ｚ（／ｚ）』に対応するそれぞれの記号イメージを示す。
【０１２３】
一方、図４８に示すように、英文字Ｓの記号イメージは、多様な応用変形例を有することができる。
【０１２４】
このように英語の大文字及び小文字アルファベットに対しても同一の方式で記号イメージを生成できるが、英語のアルファベットに対する記号イメージも所定の区画された空間（例えば、四角形のイメージフレーム）で空間の一部分に象徴物を配置して表現可能である。但し、英語のアルファベットは、初声／中声／終声に区分されないので、大文字「Ｑ」、小文字「ｉ」、「ｊ」及び「ｕ」を除いては、区画された空間を再び区分（空間区画）する必要はない。ここで、象徴物は、英語のアルファベットを一定の枠に入れ、空き空間から把握された形状を点、線、面などで単純化でき、この際、点は三角形、四角形、円などの多様な形状を有することができる。
【０１２５】
従って、出力部１４０の表示画面上にディスプレイされる英文又は数字の記号イメージは、少なくとも１つの英文字又は数字を表現する所定の区画された空間と、空間に配置され、英文字又は数字を象徴的に表現できる三角形、四角形、円、直線などの象徴物で表現される。ここで、各空間は、横方向又は縦方向に離間して配置され得る。そして、象徴物は、三角形、四角形、円の各図形の形状を有する物事、及び各図形を連想させる文字、イメージ又は他の象徴物のうちの少なくとも１つであり得る。
【０１２６】
数字や英語単語の入力やこれの記号イメージに対する解析及び出力方式は、文字の入力やこれの記号イメージに対する解析及び出力方式と同一であるので、詳細な説明は省略する。
【０１２７】
前記で空間区画は、例えばハングルの初声、中声、終声を区分するための空間分割を意味するものであって、図７のように実施できる。例えば、初声と中声が結合されているハングルの文字に対応する記号イメージに対しては、（ａ）〜（ｃ）のように、初声領域と中声領域とに区分し、初声と中声に対応する記号イメージを表現する。また、初声と中声と終声が結合されているハングルの文字に対応する記号イメージに対しては、（ｄ）〜（ｆ）の何れか１つのように、初声領域と中声領域と終声領域とに区分し、初声と中声と終声に対応する記号イメージを表現する。
【０１２８】
ここで、初声、中声、終声を区分するための空間区画の比率は、自由に変形でき、外郭の形態も自由に変形可能である。例えば、四角形のイメージフレームの枠の太さを調節し、線分表示方式を部分的に点線に変更することもできる。図１２では、「丹（ａ）」、「青（ｂ）」を意味する記号イメージを表現したものである。本実施形態では、明瞭な説明のために定形化された形態で空間区画の比率と象徴物の大きさを定めたに過ぎない。空間区画の方法においても、閉曲線の形態を使用できるだけでなく、点、線、面、色相、大きさ、位置、形態、密度、構成又は明度対比、記号、材質、質感（厳密には、視覚）、明暗、パターンなどの差のように空間の区分を認知させることができる方法などが可能である。図１２は、本発明の実施形態によって編集されたハングルイメージの例を示す図であって、閉曲線ではない場合を例示した。
【０１２９】
このように空間区画においては、点、線、面などの使用が何れも可能である。例えば、図１３〜図１６は、ハングル記号イメージで
0006461814.tif 000028
を表現するにおいて、図１３は点による空間分離を、図１４は線による空間分離を、図１５及び図１６は面による空間分離を、図１７は点、線、面の混用による空間分離を示す。例えば、図１７に示すように、点と線を併用すれば、文字の終声や小さな文字の表現において利便性を図ることができる。
【０１３０】
また、空間又は空間区画も自由な再構成が可能であるため、図１８に示すように、ハングル記号イメージで
0006461814.tif 000029
という文字を表現するにおいて、文字と文字が互いに独立している空間（ａ）、文字と文字が互いに隣り合い、境界を共有する空間（ｂ、ｃ）、そして初声、中声、終声がそれぞれ分離され、独立して表現されている空間区画（ｃ）など多様な変形が可能である。
【０１３１】
四角形のイメージフレームの空間で空間を区分し（空間区画）、空間区画に区分された空間の一部分に象徴物を配置できるだけでなく、図１９〜図２２に示すように、イメージフレームの外郭形態及び空間区画の外郭形態を自由に再構成できる。図１９では、空間区画に区分された空間の外郭形態を風鈴、醤油などの甕を置く台、韓屋（ハンオク、韓国の伝統的な家屋）で表現したものである。また、図２０は、空間区画における空間構成の自由な変形を例示した図であり、図２１は、空間区画の外郭形態の自由な変形を例示した図である。また、図２２は、都心の建築物に適用して空間区画の外郭形態の変形と重複の応用を例示した図である。
【０１３２】
更に、空間区画に区分された空間に配置される象徴物も位置変化及び誇張によっても認識が可能であるが、例えば図２３に示すように、象徴物の位置変化と誇張（飛躍）によっても文字認識が可能である。また、定形化された図形象徴物の他にも、観念、論理によっても同様の効果を出せる。
【０１３３】
即ち、図２４は、象徴物が位置する座標を定義しており、このような座標の位置だけでハングルの子音と母音が定義され得、英語や数字及び他の文字でもこの座標を適用して象徴物の位置座標を定義できる。
【０１３４】
例えば、
0006461814.tif 000030
は、左側下段の頂点に象徴物が位置するものとして定義され得る。また、
0006461814.tif 000031
は、右側上段及び下段の頂点に象徴物が位置するものとして定義され得る。このように座標の位置だけでハングルの子音と母音全体を定義でき、英文字及び数字に対しても定義できる。このような象徴物の位置座標の概念により、図２５に示すように、初声、中声、終声に位置する象徴物が何れも同一になっても文字認識が可能である。このように座標により象徴物自体を代替でき、四角形、円、三角形などの図形の象徴物を他のシンボルに替えて文字で表現する方法も可能である。
【０１３５】
一方、図２６は、本発明の実施形態によって、記号、図形形状の物事、及び文字を象徴物としてそれぞれ用いたことを例示した図であり、左側図面は、ハングルの初声、中声、終声を記号に変換した例であり、中間図面は、その記号を連想させる図形形状の物事に変換した例であり、右側図面は、このような物事を連想させる文字に変換した例である。即ち、ピザボックスは四角形、ピザは円、１カットのピザは菱形を連想させるので、図２６の右側図面に示すように、これを文字で表現しても論理的な類推によりハングルの認識が可能になる。
【０１３６】
さらに、空間区画に区分された空間は、龍を意味する文字
0006461814.tif 000032
の記号イメージを、図２７の左側図面に示すように、中声イメージフレームが縦方向に広く拡張されるように変形でき、右側図面に示すように、中央の余白に
0006461814.tif 000033
に対する絵を挿入できるように空間を提供できる。図２７は、ハングルの
0006461814.tif 000034
という文字を絵と結び付
けた例示であって、中声に該当する
0006461814.tif 000035
の空間に竜の絵を挿入して初声と終声の空間を分離させ、初声と終声は円状で
0006461814.tif 000036
を表示する一方、中声は四角状の落款を押して
0006461814.tif 000037
を表現した。
【０１３７】
点、線、面の概念を適用する場合、応用できる文字の表現方法が更に多様となり、道路、街路樹、湖、江、ダム、橋脚、建物など自然地形地物と人工構造物を用いた文字表現が可能である。また、木の種類、及び植えられた密度、構成、水田と畑の区分などによる質感（厳密には、視覚又は触覚）の差、紅葉による色相の変化、太陽の位置変化による光と影及び太陽と月を一部で構成したり、それの変化を用いても文字表現が可能になる。
【０１３８】
また、空間区画と象徴物の配置は、単純な質感（厳密には、視覚又は触覚）や色感の差によっても表現が可能である。即ち、空間の区画は実線ではない質感（厳密には、視覚）の差でも認知され得る。例えば、初声の空間にアスファルトを、中声の空間に黄土を、終声の空間に砂を満たす場合、３つの空間は満たされた物質の色相や密度や構成、質感（厳密には、視覚）により空間が分離されて認識されるかのように空間区画と象徴物の配置をこのような物質により表現できる。図２８は、建物の外観にステンドグラスを用いてハングルを表現した例を示す図である。
【０１３９】
更に、空間区画と象徴物の配置は、道路、水田と畑、湖、江、山林などのような地形地物によっても表現され得、従って都市計画において地形地物を活用した文字の表現が可能である。図２９は、道路と建築物を用いたハングルの
0006461814.tif 000038
という文字を表現し、図３０は、道路と江、木、草木、公園など地形地物を用いてハングルの
0006461814.tif 000039
という文字を空間区画と象徴物の配置によって表現した例を示す図である。
【０１４０】
一方、互いに異なる空間区画と象徴物の配置をオーバーラップするように表現できる。即ち、図３１に示すように、２つの記号イメージ（レイヤ１、２）をオーバーラップさせて複雑な象徴物の配置と空間区画を達成できる。
【０１４１】
文字をオーバーラップするに先立ち、まず文字を重ねた後に容易に識別できるように文字毎の象徴物を異なるように表示する必要があるが、この際、象徴物の形態、位置、大きさ、透明度を異にするか、文字、符号などを用いて区別でき、最も簡単な方法は色で区分することである。
【０１４２】
図３１の（ａ）の最初のイメージのように、
0006461814.tif 000040
という文字を黒色にし、（ａ）の２番目のイメージのように、
0006461814.tif 000041
という文字を灰色で区分した後、２つの記号イメージをオーバーラップして（ａ）の３番目のイメージのように表現する。このとき、
0006461814.tif 000042
と
0006461814.tif 000043
の終声が同じ
0006461814.tif 000044
であるため、図形の形態と大きさが同一である場合、第１記号イメージ（レイヤ１）の図形に第２記号イメージ（レイヤ２）の図形（終声イメージ）が遮られるようになるが、この際は第１記号イメージ（レイヤ１）の図形（終声イメージ）の大きさを縮小するか（ｂ）、第２記号イメージ（レイヤ２）の大きさを拡大して（ｃ）、２つの記号イメージの図形の大きさを異にすることによってオーバーラップしている状態を明確に区分できる。また、第２記号イメージの図形が第１記号イメージの図形により遮られ、これを容易に類推可能であれば、第２記号イメージの図形表示を省略することもできる（ｄ）。
【０１４３】
オーバーラップしている２つの記号イメージ（レイヤ１、２）は、区分され得るように固有の特性を付与し、このような特性により各レイヤを分離して独立した１つの文字に区分することが可能である。一実施形態において、レイヤに付与される特性としては、色相、大きさ、位置、形態、密度、構成、質感（厳密には、視覚）、明度、彩度、形状、明暗、パターンの他にも、２次元と３次元による空間分離など多様な方法が考慮され得る。
【０１４４】
例えば、図３２に示すように、オーバーラップしているレイヤの上部にそれぞれのレイヤの特性と同一の特性を有するマーク（識別子）を行い、オーバーラップしているレイヤの順序を表示する。識別子の目的は、順序の表示と装飾であるので、レイヤの数と同数で表示するか、又は異にしても構わず、レイヤの順序は識別子で把握し、レイヤの数は、重なった記号文字内の記号種類の数により把握可能である。識別子の順序は、文字を読む方法によって垂直に表示された場合には、「上」から「下」に、水平に表示された場合には、「左」から「右」に定める。従って、最も上側及び左側に位置する識別子が最初のレイヤを表示する。
【０１４５】
一例として、まず生成された第１記号イメージ（レイヤ１）の色相、大きさ、位置、形態、密度、構成、明暗、明度、パターン、及び質感のうちの１つと同一の識別子（黒色の識別子）を図３２の最初のイメージ（ａ）のように、前に表示し、後で生成された第２記号イメージ（レイヤ２）の色相、大きさ、位置、形態、密度、構成、明暗、明度、パターン、及び質感のうちの１つと同一の識別子（灰色識別子）を図３２の最初のイメージ（ａ）のように、後ろに表示する。図３２の最初のイメージ（ａ）のようにオーバーラップしている２つの記号イメージ（レイヤ１、２）で、識別子の順序を通じて図３２の２番目のイメージ（ｂ）のように、
0006461814.tif 000045
をまず判読し、図３２の３番目のイメージ（ｃ）のように、
0006461814.tif 000046
を後で判読することで、オーバーラップしている最初のイメージ（ａ）を
0006461814.tif 000047
と判読できるようになる。
【０１４６】
図３３は、本発明の実施形態によって記号イメージ編集方法を示す図である。前記第１実施形態によれば、記号イメージ編集装置１００は、入力部１１０によって入力された言語（ハングル、英語など）の文字（数字を含む）を制御部１２０で記号イメージに変換して出力部１４０によりリアルタイムで出力する。具体的に詳察すると、以下の通りである。
【０１４７】
第２実施形態によって記号イメージ編集装置１００内で入力過程を行い、外部の他の装置によって出力過程を行う手順や、第３実施形態によって外部の他の装置を通じて入力過程を行い、記号イメージ編集装置１００内で出力過程を行う手順については説明を省略する。
【０１４８】
まず、ユーザは、記号イメージ編集装置１００の入力部１１０によって記号イメージの生成及び編集を所望する文字／数字を入力する（Ｓ３３１）。
【０１４９】
これにより、生成部１２１は、入力部１１０によって入力された文字／数字に該当する文字／数字イメージ上の余白位置に対応する位置に記号／数字イメージを生成する（Ｓ３３２）。例えば、四角形のイメージフレームを図７の（ａ）、（ｂ）、（ｃ）のように、初声領域と中声領域とに区分し（空間区画）、図３及び図４で前述した方法によって初声イメージフレームと中声イメージフレームにそれぞれ独立して初声と中声に対応する記号イメージを生成するか、又は四角形のイメージフレームを図７の（ｄ）〜（ｆ）のように、初声領域、中声領域、及び終声領域に区分して（空間区画）、図３〜図５で前述した方法によって初声イメージフレーム、中声イメージフレーム、及び終声イメージフレームにそれぞれ独立して初声と中声と終声に対応する記号イメージを生成する。一方、生成部１２１は、図６で前述した方法によって記号の変形した形態によって記号イメージを生成することもできる。他方、四角形のイメージフレームに、図８で前述した方法によって数字に対応する数字イメージを生成することもできる。更に他方、四角形のイメージフレームに、図１０又は図１１で前述した方法によって英語の大文字又は小文字に対応する英文字イメージを生成することもできる。
【０１５０】
このとき、ユーザが入力した文字に対応する記号イメージが格納部１３０に格納されている場合、生成部１２１は該当文字にマップされた記号イメージをリアルタイムで抽出できる。即ち、生成部１２１は、ユーザが入力した文字にマップされて格納部１３０に格納されている記号イメージを抽出し、四角形のイメージフレームを図７の（ａ）、（ｂ）、（ｃ）のように、初声領域と中声領域とに区分し（空間区画）、初声イメージフレームと中声イメージフレームにそれぞれ独立して初声と中声に対応する記号イメージを構成するか、又は四角形のイメージフレームを図７の（ｄ）〜（ｆ）のように、初声領域、中声領域、及び終声領域に区分して（空間区画）、初声イメージフレーム、中声イメージフレーム、及び終声イメージフレームにそれぞれ独立して初声と中声と終声に対応する記号イメージを構成することもできる。
【０１５１】
一方、ユーザは、記号イメージ編集装置１００を用いて文字／数字に対応する記号イメージを生成した後に生成された記号イメージの形態、色相、大きさ又は位置を自由に編集することもできる（Ｓ３３３）。具体的に、ユーザは必要に応じて入力部１１０によって記号イメージでの四角形のイメージフレームの大きさ又は形状を調節したり、四角形のイメージフレームを構成する初声イメージフレーム、中声イメージフレーム、終声イメージフレームの各大きさ又は相対比率を調節したり、記号イメージを構成する各記号の大きさを調節したり、各イメージフレームの枠の太さ及び線分表示方式（点線、実線など）を変更する命令を入力し、これにより、記号イメージ編集装置１００の編集部１２２は、出力部１４０の表示画面にディスプレイされた記号イメージの大きさ又は位置を調節できる（Ｓ３３３）。
【０１５２】
また、ユーザは、必要に応じて追加の文字／数字情報を入力部１１０によって入力でき（Ｓ３３４）、この場合、記号イメージ編集装置１００の生成部１２１は、前述したＳ３３２段階での方法によって追加で入力された文字／数字に対する記号イメージを生成する（Ｓ３３５）。
【０１５３】
また、ユーザは、追加で生成された記号イメージ（第２記号イメージ）を最初に生成された記号イメージ（第１記号イメージ）に重なるように編集を命令することもでき、この場合、記号イメージ編集装置１００の編集部１２２は、第２記号イメージが第１記号イメージに、図３１のように、オーバーラップするように編集する（Ｓ３３６）。このとき、図３２のように、オーバーラップしている２つの記号イメージに対する判読順序を表すイメージ（識別子）を共に表示できる（Ｓ３３７）。
【０１５４】
一方、図面には示していないが、記号イメージ編集装置１００は、入力部１１０によって入力された記号イメージを制御部１２０で解析して該当言語の文字（数字を含む）を出力部１４０によりリアルタイムで出力する。
【０１５５】
このために、入力部１１０によってユーザは言語の文字で出力（ディスプレイ又はプリンタ又は周波数出力など）を所望する記号イメージを入力できるが、例えばハングルの初声と中声が結合されている文字に対しては、図７の（ａ）、（ｂ）、（ｃ）の何れか１つを選択し、ハングルの初声と中声と終声が結合されている文字に対しては、図７の（ｃ）〜（ｆ）の何れか１つを選択した後、象徴物を配置する部分を指定する。その後、象徴物の形状（点、線、面など）を選択できる段階に進む。仮に、ユーザが『点』を選択した場合、再び点の形状（三角形、四角形、円など）を選択できる段階に進むようになる。これにより、生成部１２１は、入力部１１０によって入力された文字／数字イメージに該当する文字／数字を生成して出力部１４０の表示画面上にディスプレイするか、プリンタ又は周波数で出力する。ここで、周波数の出力は、水面上に波紋を発生させ、記号文字を出力する場合などに活用され得る。
【０１５６】
ユーザは、編集部１２２によって入力した記号イメージを編集したり、所定の区画された空間（例えば、四角形のイメージフレーム）及びその空間を区分した空間区画（例えば、ハングルの初声、中声、終声を区分するための空間分割）を自由に編集できる。
【０１５７】
一方、本発明を実施するにおいては、反転イメージが適用された記号イメージを構成することもできる。それにより、図３４に示すような英語の大文字に対する反転イメージを適用した記号イメージ、図３５に示すような英語の小文字に対する反転イメージを適用した記号イメージ、図３６に示すようなハングルの初声に対する反転イメージを適用した記号イメージ、図３７に示すようなハングルの中声に対する反転イメージを適用した記号イメージ、図３８に示すようなハングルの終声に対する反転イメージを適用した記号イメージが構成され得る。
【０１５８】
一方、本発明を実施するにおいては、図３９に示すように、密度と構成により記号イメージを構成することもできる。即ち、記号文字の象徴物は、構成や密度や構成により表現されてもよく、構成、密度、色相、パターン、大きさ、形態、質感、位置、明度などが複合的に作用して表現されてもよい。
【０１５９】
図３９では、円の構成により
0006461814.tif 000048
という文字を表現しており、稠密に構成され、濃い色を帯び、相対的に大きさが小さい円が用いられた四角状が象徴物として用いられている。即ち、必ずしも四角形、三角形、円の形状を有する必要はなく、全く異なる形状の密度と構成によっても記号文字の表現が可能になる。
【０１６０】
更に、本発明を実施するにおいては、図４０に示すように、自然物である月を記号イメージの一部として活用して
0006461814.tif 000049
という文字が記号イメージで実現された都市設計を計画することもできる。
【０１６１】
また、本発明を実施するにおいては、図４１に示すように、英文字での重複表示（オーバーラッピング）（ＯＮＥ）を実現することもできる。即ち、英語の『Ｏ』、『Ｎ』、『Ｅ』を重ねて書いた状態で区分子を上段に表示し、記号が重ならないように黒色で共通して表現するものの、この場合、区分子は色ではない形態の順で表示するようになる。
【０１６２】
更に、本発明での空間区画を英文字に適用する場合には、図４２の（ａ）、（ｂ）、（ｃ）のような３つの形態の空間区画に分けられるようになる。
【０１６３】
具体的に、『Ｑ』と『ｕ』は、図４２の（ｂ）での空間区画が必要であり、『ｉ』、『ｊ』は、図４２の（ｃ）での空間区画が必要であり、残りの英文字は（ａ）での空間が必要である。
【０１６４】
即ち、英文字のうち、『Ｑ』、『ｕ』、『ｉ』、『ｊ』は、空間区画が必要であり、このような空間区画を活用して図４３での『Ａ、Ｑ、ｕ、ｉ、ｊ』の記号イメージで表現され得る。
【０１６５】
図４５は、本発明の他の実施形態による文字イメージ編集装置の構造を説明する機能ブロック図である。図４５を参照すれば、本発明の他の実施形態による文字イメージ編集装置１００には、図１での本発明の一実施形態による文字イメージ編集装置における構成に変換部１２３を追加で含む。
【０１６６】
ここで、変換部１２３は、特定の文字情報を同一の意味を有する異種言語の文字情報に変換する機能を行う。
【０１６７】
このために、格納部１３０には、同一の意味を有する多様な言語（韓国語、中国語、日本語、英語など）の文字情報が共に格納されており、ユーザは入力部１１０によって自身が入力する言語と変換される言語をそれぞれ第１言語と第２言語として設定できるようになる。
【０１６８】
例えば、ユーザが第１言語を国語、第２言語を英語に指定した場合、ユーザが入力部１１０によって国語文字情報を入力すれば、変換部１２３は格納部１３０に格納された該当国語文字情報に対応する英文字情報を検索し、検索された英文字情報で入力された国語文字情報を変換する。
【０１６９】
一方、変換された英文字情報は、生成部１２１に伝達され、その後のイメージの生成及び編集の手順が行われる。
【０１７０】
一方、図４５での入力部１１０、生成部１２１、格納部１３０、編集部１２２、及び出力部１４０は、基本的に図１と同一の機能を行う。
【０１７１】
図４６は、本発明の他の実施形態による文字イメージ編集方法の原理を説明する手順フローチャートである。図４６を参照して、本発明の他の実施形態による文字イメージ編集方法の原理を説明すると、まずユーザは、入力部１１０によって入力する言語である第１言語を韓国語として入力し、変換言語である第２言語を英語として入力及び設定した後に、文字イメージ編集装置１００の入力部１１０によってドットイメージの生成及び編集を所望する文字としてハングル情報を入力する（Ｓ４６１）。
【０１７２】
一方、図４６では、第１言語を韓国語、第２言語を英語で例示して説明したが、第１言語及び第２言語は、世界各国の多様な言語が適用され得ることはもちろんである。
【０１７３】
これにより、変換部１２３は、格納部１３０に格納された該当国語文字情報に対応する英文字情報を検索し、該当国語文字情報を検索された英文字情報に変換する（Ｓ４６２）。
【０１７４】
これにより、文字イメージ編集装置１００の生成部１２１は、変換部１２３により変換された英語単語のイメージ上の余白位置に対応する位置にドットイメージを図１０及び図１１で前述した方法によって生成し（Ｓ４６３）、生成されたドットイメージは、格納部１３０に格納される。
【０１７５】
このように、図４６での本発明の他の実施形態による文字イメージ編集方法によれば、第１言語にのみ馴染んでおり、第２言語には馴染みのないユーザも自分が馴染んでいる第１言語と同一の意味を有する第２言語が形状化された記号イメージを自由に生成及び編集できるようになる。
【０１７６】
一方、ユーザは、文字メージ編集装置１００を用いて英語に対応するドットイメージを生成した後に生成されたドットイメージを自由に編集できることは図３３において述べた通りである（Ｓ４６４）。
【０１７７】
一方、ユーザは、必要に応じて追加のハングル情報を第１言語として入力部１１０によって入力でき（Ｓ４６５）、これにより、変換部１２３は、追加で入力されたハングル情報に対応する英文字情報を格納部１３０によって検索し、検索された英文字情報に追加で入力された国語文字情報を変換する（Ｓ４６６）。
【０１７８】
さらに、文字イメージ編集装置１００の生成部１２１は、前述したＳ４６３段階での方法によって追加で変換された英語に対するドットイメージを生成し（Ｓ４６７）、生成されたドットイメージは、格納部１３０に格納される。
【０１７９】
一方、ユーザは、追加で生成されたドットイメージ（第２ドットイメージ）を最初に生成されたドットイメージ（第１ドットイメージ）に重なるように編集を命令することもでき、この場合、文字イメージ編集装置１００の編集部１２２は、第２ドットイメージが第１ドットイメージにオーバーラップするように編集するようになる（Ｓ４６８）。
【０１８０】
ここでも前述したように、オーバーラップしている第２ドットイメージは、第１ドットイメージとは区分され得ることが好ましいので、編集部１２２は、第２ドットイメージの色相、位置、明暗、明度、パターン、質感、大きさ、及び形態のうちの少なくとも１つを第１ドットイメージとは差別化されるように編集することが好ましく、本発明を実施するにおいて、ユーザは、直接入力部１１０によって第２ドットイメージの色相、位置、明暗、明度、パターン、質感、大きさ、及び形態のうちの少なくとも１つが第１ドットイメージとは差別化されるようにする編集命令を入力することもできる。
【０１８１】
一方、オーバーラップしている２つのドットイメージは、判読順序が編集されたイメージ上で表示されることが好ましく、これにより文字イメージ編集装置１００の編集部１２２は、まず入力された第１ドットイメージの色相、位置、明暗、明度、パターン、質感、大きさ、及び形態のうちの少なくとも１つと同一の識別子を図９の最初のイメージに示すように、前に表示し、後で入力された第２ドットイメージの色相、位置、明暗、明度、パターン、質感、大きさ、及び形態のうちの少なくとも１つと同一の識別子は、図３２（ａ）のように、後ろに表示することによって、図４１の最初のイメージである編集されたドットイメージ（ＯＮＥ）を通じて第３者らが図４１の２番目のイメージにおける「Ｏ」をまず判読した後に、図４１の３番目のイメージにおける「Ｎ」及び図４１の４番目のイメージにおける「Ｅ」を後で判読することで、図４１の最初のイメージである編集されたドットイメージを「ＯＮＥ」と判読できるようにすることが好ましい（Ｓ４６９）。
【０１８２】
図４７は、本発明の更に他の実施形態による文字イメージ編集方法の原理を説明する手順フローチャートである。図４７での本発明の更に他の実施形態による文字イメージ編集方法の原理を説明すれば、本発明を実施するにおいては、入力部１１０によって記号イメージが入力されることもでき、生成部１２１は、記号イメージを解析して該当記号イメージに対応する文字を抽出し、変換部１２３は、抽出された文字をユーザが指定する言語の文字に変換し、変換部１２３により変換された文字は、出力部１４０によりリアルタイムで出力されることもできる。
【０１８３】
このような図４７での文字イメージ編集装置の機能を通じてユーザは、自分がその意味を理解できない文字の情報が形状化された記号イメージの意味を自分が馴染んでいる言語として容易に理解できる。
【０１８４】
それだけでなく、ユーザは、自分が馴染んでいる言語に変換された文字情報が形状化された記号イメージを再び生成することもできるようになる。
【０１８５】
以下では、図４７を参照して、本発明の更に他の実施形態による文字イメージ編集方法の原理を説明する。
【０１８６】
まず、ユーザは、変換部１２３に入力される言語である第１言語（例えば、韓国語）と変換部１２３により変換及び生成される言語である第２言語（例えば、英語）を入力部１１０によって予め設定するようになる。
【０１８７】
その次に、文字イメージ編集装置の入力部１１０には、文字を形状化した記号イメージが入力され（Ｓ４７１）、これにより生成部１２１が該当記号イメージを解析し、該当記号イメージに対応する文字情報に転換抽出するようになる（Ｓ４７２）。
【０１８８】
一方、生成部１２１がイメージを分析して対応する文字情報を転換抽出するにおいては、図２での各文字から記号イメージを生成する演算を逆に適用することによって、記号イメージから文字を転換抽出できる。
【０１８９】
これにより、変換部１２３は、生成部１２１が転換抽出した第１言語の文字情報（例えば、国語文字）を格納部１３０に格納された文字情報に対応する第２言語の文字情報（例えば、英文字）を検索し、第１言語の文字情報を検索された第２言語の文字情報に変換する（Ｓ４７３）。
【０１９０】
一方、文字イメージ編集装置１００の出力部１４０は、変換部１２３によって変換された文字情報をリアルタイムで出力する（Ｓ４７４）。
【０１９１】
更に、文字イメージ編集装置１００の変換部１２３により変換された英語単語のイメージ上の余白位置に対応する位置にドットイメージを図１０及び図１１で前述した方法によって生成し（Ｓ４７５）、生成されたドットイメージは、格納部１３０に格納されることもできる。
【０１９２】
前記方法は、特定の実施形態を通じて説明されたが、また、前記方法は、コンピュータ及びスマート機器及びスマート機器で読み取れる記録媒体にコンピュータ及びスマート機器及びスマート機器が読み取れるコードで実現することが可能である。コンピュータ及びスマート機器及びスマート機器が読み取れる記録媒体は、コンピュータ及びスマート機器システムにより読み取られるデータが格納されるあらゆる種類の記録装置を含む。コンピュータ及びスマート機器が読み取れる記録媒体の例としては、ＲＯＭ、ＲＡＭ、ＣＤ-ＲＯＭ、磁気テープ、フロッピー（登録商標）ディスク、光データ格納装置、フラッシュメモリ、ＵＳＢ、ＳＤカードなどが挙げられ、またキャリアウェーブ（例えば、インターネットを介した伝送）の形態で実現されることも含む。また、コンピュータ及びスマート機器が読み取れる記録媒体は、ネットワークで連結されたコンピュータ及びスマート機器システムに分散され、分散方式でコンピュータ及びスマート機器が読み取れるコードが格納され、実行され得る。そして、前記実施形態を実現するための機能的な（ｆｕｎｃｔｉｏｎａｌ）プログラム、コード及びコードセグメントは、本発明の属する技術分野におけるプログラマーらにより容易に推論され得る。
【０１９３】
一方、本発明で用いられた記号イメージ（別名、ドット文字）は、平面的には文字とイメージの結合を促進し、３次元的には被写体と文字を結合させる結合と隠喩のための象徴的な文字である。幾何学的構成により容易に読まれないと共に、物事及び空間と容易に結合され得るため、創作者が意図するメッセージを隠喩的に含めて物事と空間の価値を向上させることができる。
【０１９４】
また、今日、大量生産で大量消費がなされ、このような消費パターンは、商品が有する価格とブランドが商品の価値を強調するようになったが、本発明により商品と文字の結合が容易になり、誕生日、結婚など特別な購買意味を商品に指定できるようになることで、ユーザは商品と結合されている文字の持つ意味を通じて価格とブランドの他に新しい価値を発見するようになる。
【０１９５】
本発明は、工芸、芸術、建築、インテリア、ファッション、照明デザイン、都市計画分野で更に興味深く活用され得る。文字を隠喩的に表現可能であるので、作品の本質を損なわない文字表現が容易になり、作家の哲学、意図、信念、祈願、好む意味を含む文字を容易に結合させることができ、新しい創作ジャンルとして発展させることもできる。
【０１９６】
特に、多くの建物が四角形構造となっているので、本発明は、このような建物に新しい特徴を付与する１つの効果的な方策として本技術が提示され得る。
【０１９７】
本発明は、スマート機器と結合して更に強力な力を発揮する。専門的なデザイン教育を受けていない人も本技術を活用して空間で自分ならではの特別な意味を含む新しい創作を実現し共有でき、その共有対象と方法を自由に選択できる。
【０１９８】
スマート機器の発達に伴い、今後、人々は電子情報が結合されている視覚的反応を経験するようになり、次第にこれが日常化し、芸術、建築、デザイン、広告分野でもこれを活用した革新的な変化が予想される。本発明は、このような時代の文字活用に関するものであって、科学技術が結び付けられた文字表現と解析に関するものとして要約され得る。
【０１９９】
即ち、科学技術を活用して平面又は立体的に文字を表現したり、文字の表現手段を光や紅葉のような自然現象と結合させてその表現範囲を拡張する意味を有するようになる。
【０２００】
１４４３年に世宗大王が民のために新しい文字としてハングルを創製して以来、５７１年が経った今日、ハングルの創製原理に基づいて生成される記号文字がその子孫らにより世宗大王の業績を記念し、ハングルだけでなく、英語及び数字をはじめとする多様な言語の文字活用に進化を続けるという点と先史時代の人々が洞窟や岩に文字を表現したように、記号文字により現代人らも自身が生きていく空間と自然現象を文字表現の対象として活用できるという点が本発明の最も興味深い特徴となる。
【０２０１】
本明細書では、本発明が一部の実施形態と関連して説明したが、本発明の属する技術分野における当業者が理解できる本発明の精神及び範囲から逸脱しない範囲で多様な変形及び変更がなされ得るという点を理解すべきである。また、そのような変形及び変更は、本明細書に添付された特許請求の範囲内に属するものとして考えるべきである。
【産業上の利用可能性】
【０２０２】
本発明は、文字を象徴化した各種芸術と工芸を活用した２次元及び３次元デザインの開発と商品への適用を容易にするだけでなく、ファッション、建築、インテリア、都市企画などの各種分野でも文字が象徴化された産業生産物の開発が促進されるようにするデザイン産業分野における産業上の利用可能性が認められる。
0006461814.tif 000050
【図１】
0006461814.tif 000051
【図２】
0006461814.tif 000052
【図３】
0006461814.tif 000053
【図４】
0006461814.tif 000054
【図５】
0006461814.tif 000055
【図６】
0006461814.tif 000056
【図７】
0006461814.tif 000057
【図８】
0006461814.tif 000058
【図９】
0006461814.tif 000059
【図１０】
0006461814.tif 000060
【図１１】
0006461814.tif 000061
【図１２】
0006461814.tif 000062
【図１３】
0006461814.tif 000063
【図１４】
0006461814.tif 000064
【図１５】
0006461814.tif 000065
【図１６】
0006461814.tif 000066
【図１７】
0006461814.tif 000067
【図１８】
0006461814.tif 000068
【図１９】
0006461814.tif 000069
【図２０】
0006461814.tif 000070
【図２１】
0006461814.tif 000071
【図２２】
0006461814.tif 000072
【図２３】
0006461814.tif 000073
【図２４】
0006461814.tif 000074
【図２５】
0006461814.tif 000075
【図２６】
0006461814.tif 000076
【図２７】
0006461814.tif 000077
【図２８】
0006461814.tif 000078
【図２９】
0006461814.tif 000079
【図３０】
0006461814.tif 000080
【図３１】
0006461814.tif 000081
【図３２】
0006461814.tif 000082
【図３３】
0006461814.tif 000083
【図３４】
0006461814.tif 000084
【図３５】
0006461814.tif 000085
【図３６】
0006461814.tif 000086
【図３７】
0006461814.tif 000087
【図３８】
0006461814.tif 000088
【図３９】
0006461814.tif 000089
【図４０】
0006461814.tif 000090
【図４１】
0006461814.tif 000091
【図４２】
0006461814.tif 000092
【図４３】
0006461814.tif 000093
【図４４】
0006461814.tif 000094
【図４５】
0006461814.tif 000095
【図４６】
0006461814.tif 000096
【図４７】
0006461814.tif 000097
【図４８】
0006461814.tif 000098